(57)【要約】【課題】  軽く可撓性に富み、使用に際して取り扱い容易な特に要介護者のシャワー浴用として適した気液併用マットを提供する。【解決手段】  気密性かつ可撓性を有するシート２を少なくとも３枚重ねあわせ、これらシート２の周縁部を互いに接着させて少なくとも２層構造のシート部３を形成し、このシート部３の上部のシート２又は下部のシート２のいずれか一方のシート２とこのシート２に対向する中間のシート２との間を気体室として形成し、前記シート部３の上部のシート２又は下部のシート２のいずれか他方のシート２とこのシート２に対向する中間のシート２との間を液体室として形成したことにより、前記課題を解決した。【選択図】        図１
2007117261.tif 000002
【特許請求の範囲】
【請求項１】
気密性かつ可撓性を有するシートを少なくとも３枚重ねあわせ、これらシートの周縁部を互いに接着させて少なくとも２層構造のシート部を形成し、このシート部の上部のシート又は下部のシートのいずれか一方のシートとこのシートに対向する中間のシートとの間を気体室として形成し、前記シート部の上部のシート又は下部のシートのいずれか他方のシートとこのシートに対向する中間のシートとの間を液体室として形成したことを特徴とする、気液併用マット。
【請求項２】
前記他方のシートの一端部に注液口を設けると共に、このシートの他端部に排液口を設け、前記注液口より液体を注入しつつ前記排液口より排出させ、前記液体室内を液体が流れる状態で使用可能としたことを特徴とする、請求項１に記載の気液併用マット。
【請求項３】
前記他方のシートの注液口の外周縁部近傍に一端部が気密状態で取り付けられ、他端部の開口部からシャワーのノズル部等の液供給体が収装される筒状の軟質性の収装部と、この収装部の外側に設けられ、前記収装部に収容された液供給体の外表面に前記収装部を締め付ける締付手段とを有することを特徴とする、請求項２に記載の気液併用マット。
【請求項４】
前記気体室を形成する２つのシートの多数の箇所が互いに接着され、この気体室に気体を注入したときにこの気体室を形成するシートの外表面が波状になるように構成したことを特徴とする、請求項１〜３のいずれか１項に記載の気液併用マット。
【請求項５】
前記液体室を形成する２つのシートの多数の箇所が互いに接着され、この気体室に気体を注入したときにこの液体室を形成するシートの外表面が波状になるように構成したことを特徴とする、請求項１〜４のいずれか１項に記載の気液併用マット。
【請求項６】
前記下部のシートの表面の上方に、椅子等の背もたれの上部に被せて前記シート部を椅子等に掛ける装着部を設けたことを特徴とする、請求項１〜５のいずれか１項に記載の気液併用マット。
【請求項７】
前記シート部を椅子等に掛けてこのシート部を前記椅子等に締め付けて装着する締付部材を設け、この締付部材を着脱可能に取り付ける取付部を前記シート部の両側部の複数の箇所に設けたことを特徴とする、請求項１〜６のいずれか１項に記載の気液併用マット。
【請求項８】
前記シートが、合成樹脂製シート又はキャンパスシートであることを特徴とする、請求項１〜７のいずれか１項に記載の気液併用マット。
【発明の詳細な説明】
【技術分野】
【０００１】
本発明は、介護者が要介護者に対しシャワー浴を行う際に用いて好適な気液併用マットに関するものである。
【背景技術】
【０００２】
従来、気体と液体の双方をクッション材として用いたマットがいくつか知られている（特許文献１、２参照。）。特許文献１に記載されたマットは、水平方向に広がるエアーマット上に、複数に分割されたウォーターマットを重ね合わせるものである。特許文献２に記載されたものは、周囲をエアーマットで囲った中に、水平方向に広がるウォーターマットを設け、このウォーターマットの中にさらに複数の分割された二層構造と成した気液併合のホースを併設してなるものである。
【特許文献１】実開平６−８１３５７号公報
【特許文献２】登録第３０３３８２４号公報
【発明の開示】
【発明が解決しようとする課題】
【０００３】
これら特許文献１、２に記載されたマットは、いずれも可撓性に乏しく、これを容易に例えばシャワー浴用の椅子の上に掛けることができない上に、液体マットに注入された液体の量の多いことから、重量があり、使用に当っての取り扱い容易性に欠けるという問題があった。
【０００４】
本発明は、前記課題を解決するためになされたものであって、その目的は、軽く可撓性に富み、使用に際して取り扱い容易な特に要介護者のシャワー浴用として適した気液併用マットを提供することにある。
【課題を解決するための手段】
【０００５】
前記の目的を達成するための本発明に係る気液併用マットは、気密性かつ可撓性を有するシートを少なくとも３枚重ねあわせ、これらシートの周縁部を互いに接着させて少なくとも２層構造のシート部を形成し、このシート部の上部のシート又は下部のシートのいずれか一方のシートとこのシートに対向する中間のシートとの間を気体室として形成し、前記シート部の上部のシート又は下部のシートのいずれか他方のシートとこのシートに対向する中間のシートとの間を液体室として形成したことを特徴とする。
【０００６】
この発明によれば、例えば、シート部の液体室にお湯を気体室に空気をそれぞれ注入することにより、シート部全体にお湯を注入する場合に比して軽くなる。その結果、暖かく軽くて可撓性に富むことから、使用時に取り扱い容易な特に要介護者のシャワー浴用として最適である。
【０００７】
本発明に係る気液併用マットにおいて、前記他方のシートの一端部に注液口を設けると共に、このシートの他端部に排液口を設け、前記注液口より液体を注入しつつ前記排液口より排出させ、前記液体室内を液体が流れる状態で使用可能とすることが好ましい。また、本発明に係る気液併用マットにおいて、前記他方のシートの注液口の外周縁部近傍に一端部が気密状態で取り付けられ、他端部の開口部からシャワーのノズル部等の液供給体が収装される筒状の軟質性の収装部と、この収装部の外側に設けられ、前記収装部に収容された液供給体の外表面に前記収装部を締め付ける締付手段とを有することが好ましい。また、本発明に係る気液併用マットにおいて、前記気体室を形成する２つのシートの多数の箇所が互いに接着され、この気体室に気体を注入したときにこの気体室を形成するシートの外表面が波状になるように構成することが好ましい。また、本発明に係る気液併用マットにおいて、前記液体室を形成する２つのシートの多数の箇所が互いに接着され、この気体室に気体を注入したときにこの液体室を形成するシートの外表面が波状になるように構成することが好ましい。
【０００８】
また、本発明に係る気液併用マットにおいて、前記下部のシートの表面の上方に、椅子等の背もたれの上部に被せて前記シート部を椅子等に掛ける装着部を設けることが好ましい。また、本発明に係る気液併用マットにおいて、前記シート部を椅子等に掛けてこのシート部を前記椅子等に締め付けて装着する締付部材を設け、この締付部材を着脱可能に取り付ける取付部を前記シート部の両側部の複数の箇所に設けることが好ましい。また、本発明に係る気液併用マットにおいて、前記シートが、合成樹脂製シート又はキャンパスシートであることが好ましい。
【発明の効果】
【０００９】
以上説明したように、本発明に係る気液併用マットによれば、気密性かつ可撓性を有するシートを用いて気体室と液体室とを有するシート部を形成したので、例えば、シート部の液体室にお湯を気体室に空気をそれぞれ注入することにより、暖かく軽くて可撓性に富むことから、使用時に取り扱い容易な特に要介護者のシャワー浴用として最適である。
【発明を実施するための最良の形態】
【００１０】
以下、本発明に係る気液併用マットを添付図面に基づいて詳述する。
【００１１】
図１〜図７は本発明に係る気液併用マットの一例を示す図である。本発明に係る気液併用マットは、図１〜図７に示すように、気密性かつ可撓性を有するシート２を少なくとも３枚重ねあわせ、これらシート２の周縁部を互いに接着させて少なくとも２層構造のシート部３を形成し、このシート部３の上部のシート２又は下部のシート２のいずれか一方のシート２とこのシート２に対向する中間のシート２との間を気体室５として形成し、前記シート部３の上部のシート２又は下部のシート２のいずれか他方のシート２とこのシート２に対向する中間のシート２との間を液体室６として形成したことに特徴がある。この本発明に係る気液併用マット１は、特に要介護者のシャワー浴用として最適なものである。
【００１２】
シート２は、非透水性及び又は非通気性を有する材質のもので構成したものである。このシート２は、全体として略矩形状を呈し、柔軟性かつ可撓性を有するものである。このシート２を少なくとも３枚すなわち３枚以上重ねあわせ、これらシート２の周縁部を互いに接着させることにより、少なくとも２層構造すなわち２層構造以上のシート部３が形成される。このシート部３は、２層構造以上であれば特に限定されず、例えば、３層構造すなわち４枚のシート２を重ね合わせたものであることが好ましい。本発明の形態では、３層構造である場合について説明するが、これに限定されるものではない。
【００１３】
４枚のシート２１、２２、２３、２４は、同じ材質のシートで形成されてもよいし、それぞれ個別の材質のシートで形成されていもよいし、何枚かが同じ材質のシートで形成されてもよい。これらの４枚のシート２１、２２、２３、２４は、例えば、一番上の第１シート２１及び上から２番目の第２シート２２の２枚のシートと、残りの２枚のシート（上から３番目の第３シート２３及び一番下の第４シート２４）とで別の材質のシートで形成されていることが好ましい。
【００１４】
第１シート２１及び第２シート２２は、非透水性に優れた、例えばゴム、各種熱可塑性エラストマー軟質ＰＶＣ（ポリ塩化ビニル）等の弾力性があるフィルムないしはシート状材で構成されていることが好ましい。第３シート２３及び第４シート２４は非通気性に優れた、例えばプラスチックフィルムやプラスチックフィルムと他の材料とを複合したフィルムが好ましく、特に好ましいのは、それらのうちのガスバリア性の高いもの、例えば、ポリエステル、エチレンビニルアルコール共重合体、ＰＶＡ（ポリビニルアルコール）、ポリ塩化ビニリデン等のフィルムおよびそれらをコートした複合フィルム、アルミ箔複合フィルム、アルミナ蒸着フィルム、シリカ蒸着フィルム等の同じく柔軟な可撓性に優れたフィルム或はシート状材で構成されていることが好ましい。
【００１５】
これらのシート２の周縁部を互いに接着させる接着手段としては、特に限定されず、例えば、熱溶着加工等が用いられる。この熱溶着加工によりシート２の周縁部が互いに接着されてシート部３が形成される。このシート部３は、３層構造のもので、上層、中層、下層の３層のうちの上層が液体室６として形成されていると共に、下層が気体室５として形成されていることが好ましい。なお、上層を液体室６に下層を気体室５にそれぞれ形成したが、これに限定されず、例えば、上層を気体室に下層を液体室にそれぞれ形成するようにしてもよい。
【００１６】
第４シート２４には、注気栓１７が設けられており（図４参照。）、この注気栓１７を介して気体室５内に例えば空気を供給したり、気体室５内の空気を排出させたりすることができるようになっている。また、第４シート２４の上方には、さらに第５シート２５が、例えば、熱溶着加工等によって接着されて装着部３５が設けられている。この装着部３５は、椅子等の背もたれの上部に被せてシート部３を椅子等に掛けるものである。第５シート２５の材質は特に限定されるものではない。
【００１７】
気体室５を形成する第３シート２３及び第４シート２４の多数の箇所は互いに例えば熱溶着加工により接着されて、この気体室５に例えば空気を注入したときに気体室５を形成する特に第４シート２４の外表面が波状になるように構成されていることが好ましい。これら接着箇所２７は、特に限定されないが、例えば、シート部３の幅方向及び長手方向に規則正しく整列した箇所であることが好ましい。また、これら接着形状は、特に限定されないが、円形状又は円筒状等であることが好ましい。
【００１８】
シート部３の右上部が長手方向に延出して延出部３１として形成されている。第１シート２１の延出部３１には注液口１１（図８参照。）が設けられている。第１シート２１の延出部３１及び下端部にはそれぞれ排液口１２（図９参照。）が設けられている。これら注液口１１及び排液口１２には、注液口１１及び排液口１２を開閉するための栓１３、１４がそれぞれ着脱可能に取り付けられている。
【００１９】
第１シート２１の注液口１１の外周縁部近傍には、収装部８が設けられている。収装部８は、軟質性の材料で筒状、例えば円筒状に形成されている。この収装部８の一端部が、第１シート２１の注液口１１の外周縁部近傍に気密状態で例えば接着されて取り付けられている。この収装部８の他端部の開口部は、シャワー７７のノズル７８（図１０参照。）等の液供給体が挿入されるものである。収装部８の外表面には、収装部８に収容した液供給体の外表面に収装部８を締め付ける締付手段が設けられている。締付手段としては、特に限定されず、例えば、収装部の外周を一巻きしてマジックテープ(登録商標)により互いにくっついて締め付けるノズル締付部材８１等を用いることができる。
【００２０】
液体室６を形成する第１シート２１及び第２シート２２の多数の箇所が互いに例えば熱溶着加工により接着され、この液体室６に液体を注入したときに液体室６を形成する特に第１シート２１の外表面が波状になるように構成されていることが好ましい。これら接着箇所は、特に限定されないが、例えば、シート部３の幅方向及び長手方向に規則正しく整列した箇所であることが好ましい。これら接着箇所は、具体的には、例えば、第３シート２３及び第４シート２４の接着箇所に対応した箇所の間の位置であることが好ましい。また、これら接着形状は、特に限定されないが、円形状又は円筒状等であることが好ましい。
【００２１】
また、シート部３の両側部には、シート部３を椅子等に掛けてこの椅子等に締め付けて装着する締付部材４１が設けられていることが好ましい。この締付部材４１としては、特に限定されず、例えば、シート部３の両側部にそれぞれ個別に着脱可能に取り付けられ、互いにマジックテープ(登録商標)によりくっつく２つの装着締付部材４２等を用いることができる。装着締付部材４２の一端部にはフック部材４３が設けられていると共に、装着締付部材４２の他端部にはマジックテープ(登録商標)４４が設けられている。シート部３の両側部の略中央部には、その長手方向に間隔をあけて２つ以上例えば４つの貫通孔３３を有する取付部３２がそれぞれ対応した位置に設けられている。これら４つの取付部３２は、装着締付部材４２のフック部材４３が着脱可能に取りつけられるものである。４つの取付部３２の任意の１つの取付部３２に装着締付部材４２のフック部材４３を取り付け、シート部３を椅子等に掛けて２つの装着締付部材４２を椅子等の外側で締め付けて互いのマジックテープ(登録商標)４４をくっつけることにより、椅子等にシート部３がずれることなく装着されるようになっている。
【００２２】
また、シート部３の略中央部には、その長手方向に延びる貫通部３７が設けられていることが好ましい。この貫通部３７は、介護者が要介護者に対しシャワー浴を行う場合に要介護者の陰部等の洗浄を容易に行えるようにするものである。貫通部３７の形状は、特に限定されず、例えば、図示するように長円状等に形成されていることが好ましい。
【００２３】
次に本発明に係る気液併用マット１を用いて介護者が要介護者に対しシャワー浴を行う場合について説明する。
【００２４】
まず、介護者は、図１１に示すように、浴室湯用にシャワー浴用の椅子７５を用意して、この椅子７５の上に本発明に係る気液併用マット１を掛ける。このとき、椅子７５の背もたれの上部に気液併用マット１の装着部３５を被せ、この気液併用マット１を椅子７５の上に掛ける。この気液併用マット１の２つの装着締付部材４２を椅子７５の外側で締め付けて互いのマジックテープ(登録商標)をくっつける。これにより、介護者を気液併用マット１を介して椅子７５の上に座らせても、気液併用マット１が椅子７５に対してずれることがない。なお、気液併用マット１を椅子７５に掛ける前に、注気栓１７を介して気体室５内に例えば空気を供給して気体室５内に空気を充填した後に注気栓１７を閉じて空気を気体室５内に封入しておくことが好ましい。空気は気体室５内に常時封入させておき、空気が少なくなったら補充することが好ましい。
【００２５】
次に、注液口１１から栓１３を取り外すと共に２つの排液口１２から栓１４を取り外して、収装部８の他端部の開口部からシャワー７７のノズル７８を挿入して収装させた後、ノズル締付部材８１を収装部８の外周を一周させて巻いてノズル７８の外周に収装部８を締め付ける。図１０に示すように、シャワー７７のノズル７８からお湯を収装部８内に入れると、お湯は収装部８内から注液口１１を介して液体室６内に注入される。このとき、気液併用マット１の上方にも排液口１２を設けたことにより、この排液口１２が空気抜きとなるので、液体室６内への液体をスムーズに注入することができる。
【００２６】
液体室６内に注入されたお湯は、液体室６内を上部から下部に流れて液体室６内に充填される。お湯が液体室６内に充填されたら、ノズル７８からのお湯の注入を停止すると共に２つの排液口１２に栓１４をして排液口１２を閉塞し、さらに注液口１１に栓１３をして注液口１１を閉塞させお湯を液体室６内に封入する。尚、液体室６内へ注入する液体は、夏の暑い時には水でもよい。液体室６内へ液体を注入するときに、
【００２７】
この状態で、図１２に示したように、要介護者７２をこの気液併用マット１を介して椅子７５の上に座らせてからこの要介護者７２のシャワー浴を行う。なお、シャワー浴を行う要介護者７２が複数人いて液体室６内に封入したお湯が冷めた場合には、注液口１１から液体室６内にお湯を注入しつつ液体室６内のお湯等を下方の排液口１２より排出させて、液体室６内をお湯が流れる状態で使用可能としたので、例えば、再度シャワー７７のノズル７８を用いて前述したようにお湯を液体室６内に注入して、常に暖かい状態でシャワー浴を継続することができるものである。また、注液口１１の外周に収装部８を設けたので、例えば、シャワー７７のノズル７８からのお湯をこぼすことなく容易に液体室６内に注入することができる。
【００２８】
シャワー浴が終了したら、液体室６からお湯を抜いておくことが望ましいが、液体室６を形成するシート２１、２２がくっついてしまうことを防止するためには、お湯を少し残した状態にしておいて、使用時に液体室６内の冷めたお湯すなわち水を下方の排液口１２から排出させつつ注液口１１から温かいお湯を注入させるようにすることが望ましい。また、液体室６からお湯を抜くときに、排液口１２が気液併用マット１の下方のみではなく上方にも設けられているので、液体室６内のお湯を迅速にかつ確実に排出させることが可能となる。
【００２９】
したがって、本発明に係る気液併用マット１は、液体室６にお湯を気体室５に空気をそれぞれ注入することにより、シート部３全体にお湯を注入する場合に比して軽くなる。その結果、暖かく軽くて可撓性に富むことから、使用時に取り扱い容易な特に要介護者７２のシャワー浴用として最適である。
【００３０】
気体室５を形成する第３シート２３及び第４シート２４の多数の接着箇所２７が接着されていることにより、気液併用マット１の形態及び設置状態が安定する。また、液体室６を形成する第１シート２１及び第２シート２２の多数の接着箇所２８が接着されていることにより、気液併用マット１の形態及び設置状態がさらに一層安定する。
【００３１】
以上、本発明に係る気液併用マット１を要介護者７２のシャワー浴に用いた場合について説明したが、これに限定されるものではなく、本発明に係る気液併用マット１は、前記以外にも、例えは通常のベットの上に敷設してとこずれ防止用として用いたり、健常者が戸外で用いる横臥用マットとして用いてもよい。
【産業上の利用可能性】
【００３２】
以上説明したように本発明に係る気液併用マットは、気密性かつ可撓性を有するシートを用いて気体室と液体室とを有するシート部を形成したので、例えば、シート部の液体室にお湯を気体室に空気をそれぞれ注入することにより、暖かく軽くて可撓性に富むことから、使用時に取り扱い容易な特に要介護者のシャワー浴用として最適なものである。
【図面の簡単な説明】
【００３３】
【図１】本発明に係る気液併用マットの一例を示す斜視図である。
【図２】本発明に係る気液併用マットの一例を示す側面図である。
【図３】本発明に係る気液併用マットの一例を示す平面図である。
【図４】本発明に係る気液併用マットの一例を示す裏面図である。
【図５】本発明に係る気液併用マットの上方の一例を示す正面図である。
【図６】本発明に係る気液併用マットの一例を示す一部断面図である。
【図７】本発明に係る気液併用マットの一例を示す一部断面図である。
【図８】本発明に係る気液併用マットの注液口の一例を示す断面図である。
【図９】本発明に係る気液併用マットの排液口の一例を示す断面図である。
【図１０】本発明に係る気液併用マットにシャワーのノズルを装着した一例を示す側面図である。
【図１１】本発明に係る気液併用マットの使用状態の一例を示す斜視図である。
【図１２】本発明に係る気液併用マットの使用状態の一例を示す斜視図である。
【符号の説明】
【００３４】
１  気液併用マット
２  シート
３  シート部
５  気体室
６  液体室
８  収装部
１１  注液口
１２  排液口
３５  装着部
４１  締付部材
８１  ノズル締結部材
【図１】
2007117261.tif 000003
【図２】
2007117261.tif 000004
【図３】
2007117261.tif 000005
【図４】
2007117261.tif 000006
【図５】
2007117261.tif 000007
【図６】
2007117261.tif 000008
【図７】
2007117261.tif 000009
【図８】
2007117261.tif 000010
【図９】
2007117261.tif 000011
【図１０】
2007117261.tif 000012
【図１１】
2007117261.tif 000013
【図１２】
2007117261.tif 000014